(57)【特許請求の範囲】
【請求項１】
表面に粘着面を有するクリーニングテープを繰り出す繰出部と、該繰出部から繰り出された前記クリーニングテープを回収する回収部と、前記繰出部と前記回収部との間に張設された前記クリーニングテープの裏面に当接する裏当て部と、を備え、
前記クリーニングテープのうちの前記裏当て部が当てられた部分の前記粘着面にパッド印刷用のパッドの転写面が押し付けられることで前記転写面に残留する印刷液を除去するパッドクリーニング装置において、
前記繰出部と前記回収部との間に架け渡された前記クリーニングテープを粘着面側から押さえる押さえ部材が備えられ、
前記粘着面に沿って延在すると共に前記クリーニングテープの長手方向に対して直交する仮想線を基準線として、前記押さえ部材が前記基準線に対して斜めに延設されていることを特徴とするパッドクリーニング装置。
【請求項２】
請求項１に記載のパッドクリーニング装置において、
前記押さえ部材が、前記パッドが押し付けられる押付位置よりも前記クリーニングテープの移送方向の上流側に配設されていることを特徴とするパッドクリーニング装置。
【請求項３】
請求項１または２に記載のパッドクリーニング装置において、
前記押さえ部材が丸棒状の部材からなり、
該押さえ部材が軸回転可能に設けられていることを特徴とするパッドクリーニング装置。
【請求項４】
印刷液が塗布された印版上にパッド先端の転写面を押し付けて該転写面に印刷パターンを転写し、前記転写面を被印刷物の被印刷面に押し付けて前記印刷パターンを前記被印刷面に転写し、前記転写面に残留する印刷液を除去するパッド印刷装置において、
請求項１から３の何れか一項に記載のパッドクリーニング装置を備えることを特徴とするパッド印刷装置。
【発明の詳細な説明】
【技術分野】
【０００１】
本発明は、パッド印刷用のパッドの転写面に残留した印刷液を除去するパッドクリーニ
ング装置と、そのパッドクリーニング装置を備えるパッド印刷装置に関する。
【背景技術】
【０００２】
この種のパッドクリーニング装置として、従来、例えば下記特許文献１に記載されているような、表面に粘着面を有するクリーニングテープを使ってパッドの転写面をクリーニングする装置（転写体拭い手段）が提供されている。このパッドクリーニング装置には、クリーニングテープを繰り出す繰出部と、その繰出部から繰り出されたクリーニングテープを回収する回収部と、繰出部と回収部との間に架け渡されたクリーニングテープの裏面に当接する裏当て部と、が備えられている。
【０００３】
上記した構成からなるパッドクリーニング装置によれば、上記したクリーニングテープは、繰出部から回収部へ移送される。そして、そのクリーニングテープのうちの裏当て部が当てられた部分の粘着面にパッドの転写面を押し付け、その後、パッドを裏当て部から離間する方向に移動させて粘着面から引き剥がすことで、パッドの転写面に残留する印刷液が粘着面に転写されて除去される。
【先行技術文献】
【特許文献】
【０００４】
【特許文献１】特開平１−２８３１４６号公報
【発明の概要】
【発明が解決しようとする課題】
【０００５】
しかしながら、上記した従来の技術では、クリーニングテープの粘着面に貼り付きやすい材料でパッドを形成したりクリーニングテープの粘着面の粘着強度を強力にしたりすると、パッドの転写面をクリーニングする際にクリーニングテープが裏当て部を叩く打音（異音）が発生し、また、パッドの転写面が劣化し易くなるという問題が生じる。
【０００６】
例えば、接着剤（印刷液）をパッド印刷で塗布する際には、一般的なシリコーンゴム製のパッドでは接着剤を弾くため、ブチルゴム製のパッドが使用される。ブチルゴム製のパッドは、クリーニングテープの粘着面に貼り付きやすいため、パッドをクリーニングテープの粘着面から引き剥がす際に、クリーニングテープが粘着面の粘着力によりパッドの転写面に貼り付いてパッドと共に引き上げられて裏当て部から離間する。その後、そのクリーニングテープがパッドの転写面から一気に剥がれる。このとき、クリーニングテープが裏当て部に勢いよく衝突して大きな打音が発生する。また、上述したようにパッドの転写面からクリーニングテープが一気に剥がされるため、パッドの転写面へのダメージが大きく、パッドの転写面が劣化しやすくなる。
【０００７】
本発明は、上記した従来の問題が考慮されたものであり、パッドをクリーニングテープの粘着面から引き剥がす際に生じる異音を抑制すると共に、パッドの転写面へのダメージを抑えてパッドの長寿命化を図ることを目的としている。
【課題を解決するための手段】
【０００８】
本発明に係るパッドクリーニング装置は、表面に粘着面を有するクリーニングテープを繰り出す繰出部と、該繰出部から繰り出された前記クリーニングテープを回収する回収部と、前記繰出部と前記回収部との間に張設された前記クリーニングテープの裏面に当接する裏当て部と、を備え、前記クリーニングテープのうちの前記裏当て部が当てられた部分の前記粘着面にパッド印刷用のパッドの転写面が押し付けられることで前記転写面に残留する印刷液を除去するパッドクリーニング装置において、前記繰出部と前記回収部との間に架け渡された前記クリーニングテープを粘着面側から押さえる押さえ部材が備えられ、前記粘着面に沿って延在すると共に前記クリーニングテープの長手方向に対して直交する仮想線を基準線として、前記押さえ部材が前記基準線に対して斜めに延設されていることを特徴としている。
【０００９】
このような特徴により、クリーニングテープのうちの裏当て部が当てられた部分の粘着面にパッドの転写面を押し付け、その後、パッドを裏当て部から離間する方向に移動させて粘着面から引き剥がすことで、パッドの転写面に残留する印刷液が粘着面に転写されて除去される。
また、パッドを粘着面から引き剥がす際、クリーニングテープが粘着面の粘着力によりパッドの転写面に貼り付いても、押さえ部材によってクリーニングテープが粘着面側から押さえられているので、クリーニングテープがパッドの転写面から直ぐに剥がされ、クリーニングテープが引き上げられる量が小さく抑えられる。
また、パッドを粘着面から引き剥がす際、パッドの転写面に貼り付いたクリーニングテープは、基準線に対して斜めに延設する押さえ部材によってクリーニングテープの幅方向の片側から順次剥がされていく。
【００１１】
また、本発明に係るパッドクリーニング装置は、前記押さえ部材が、前記パッドが押し付けられる押付位置よりも前記クリーニングテープの移送方向の上流側に配設されていることが好ましい。
これにより、押さえ部材に印刷液が付着することが防止される。すなわち、仮に、押さえ部材が押付位置よりもクリーニングテープの移送方向の下流側に配設されていると、印刷液が付着したクリーニングテープを押さえ部材が押さえることになるので、押さえ部材に印刷液が付着するおそれがあるが、押さえ部材を押付位置よりも上流側に配設することで、印刷液が付着していないクリーニングテープを押さえ部材が押さえることになり、押さえ部材に印刷液が付着しない。
【００１２】
また、本発明に係るパッドクリーニング装置は、前記押さえ部材が丸棒状の部材からなり、該押さえ部材が軸回転可能に設けられていることが好ましい。
これにより、クリーニングテープの粘着面を押さえる押さえ部材が粘着面から剥がれやすくなり、クリーニングテープが押さえ部材に貼り付くことが防止される。
【００１３】
本発明に係るパッド印刷装置は、印刷液が塗布された印版上にパッド先端の転写面を押し付けて該転写面に印刷パターンを転写し、前記転写面を被印刷物の被印刷面に押し付けて前記印刷パターンを前記被印刷面に転写し、前記転写面に残留する印刷液を除去するパッド印刷装置において、上記したパッドクリーニング装置を備えることを特徴としている。
【００１４】
このような特徴により、パッドをクリーニングする際に、クリーニングテープが粘着面の粘着力によりパッドの転写面に貼り付いても直ぐに剥がされ、クリーニングテープが引き上げられる量が小さく抑えられ、裏当て部に衝突するクリーニングテープの勢いが抑えられる。
【発明の効果】
【００１７】
本発明に係るパッドクリーニング装置、パッド印刷装置及びパッドクリーニング方法によれば、パッドを粘着面から引き剥がす際にクリーニングテープが引き上げられる量が小さく抑えられるので、裏当て部に衝突するクリーニングテープの勢いが抑えられて異音を抑制することができると共に、パッドの転写面へのダメージを抑えてパッドの長寿命化を図ることができる。
【図面の簡単な説明】
【００１８】
【図１】本発明の実施の形態に係るパッド印刷装置を模式的に表した側面図である。
【図２】本発明の実施の形態に係るパッドクリーニング装置の側面図である。
【図３】図２に示すＡ−Ａ間の断面図である。
【図４】本発明の実施の形態に係るパッドクリーニング装置の平面図である。
【図５】本発明の実施の形態に係るパッド印刷装置の動作を説明するためのパッド印刷装置の模式的な側面図である。
【図６】本発明の実施の形態に係るパッド印刷装置の動作を説明するためのパッド印刷装置の模式的な側面図である。
【図７】本発明の実施の形態に係るパッド印刷装置の動作を説明するためのパッド印刷装置の模式的な側面図である。
【図８】本発明の実施の形態に係るパッド印刷装置の動作を説明するためのパッド印刷装置の模式的な側面図である。
【図９】本発明の実施の形態に係るパッド印刷装置の動作を説明するためのパッド印刷装置の模式的な側面図である。
【図１０】図９に示すＢ−Ｂ間の断面図である。
【図１１】本発明の変形例を説明するためのパッドクリーニング装置の断面図である。
【発明を実施するための形態】
【００１９】
以下、本発明に係るパッドクリーニング装置、パッド印刷装置及びパッドクリーニング方法の実施の形態について、図面に基いて説明する。
【００２０】
図１に示すパッド印刷装置１は、接着剤やインク等の印刷液が塗布された印版２上にパッド３先端の転写面３０を押し付けて転写面３０に印刷パターンを転写し、その転写面３０をワークＸ（被印刷物）の被印刷面Ｙに押し付けて印刷パターンを被印刷面Ｙに転写し、その転写面３０に残留する印刷液を除去する装置である。
詳しく説明すると、パッド印刷装置１には、例えば文字や記号、図形、模様等が刻印された印版２と、印版２から転写された印刷パターンを一時的に保持する転写面３０を有するパッド３と、印版２上に塗布する印刷液を貯留する印刷液リザーバー５と、印版２上の余剰な印刷液を掻き出すスキージ６と、印版２が載置される印版台７と、ワークＸが載置されるワーク台８と、パッド３からワークＸに印刷パターンを転写した後にパッド３の転写面３０に残留する印刷液を除去するパッドクリーニング装置４と、パッド３を印版２上とワークＸ上とパッドクリーニング装置４上との間で移動させるパッド移動手段９と、パッド３を支持するパッド支持部材１０と、が備えられている。また、パッド印刷装置１には、印版２上に印刷液を塗布する図示せぬ印刷液塗布手段と、スキージ６を印版２の上面に沿って往復移動させる図示せぬスキージ移動手段と、が備えられている。
【００２１】
印刷液リザーバー５は、印刷液が収容された壷体であり、上面が開放された容器である。この印刷液リザーバー５の上には、印版台７が配設されており、この印版台７によって印刷液リザーバー５の上面が閉塞されている。なお、印刷液リザーバー５は、上面が印版台７で閉塞されたクローズ式の容器に限らず、上面が開放されたオープン式の容器であってもよい。
【００２２】
印版台７は、印版２を支持する台座であり、印刷液リザーバー５上に固定されている。この印版台７の上面には、平面視矩形の凹部７０が形成されており、その凹部７０には、矩形板状の印版２が着脱可能に嵌合されている。印版２は、上面に印刷パターンの溝２０が刻まれた凹版であり、印版台７の凹部７０の内側に嵌め込むことで保持されている。この印版２の上面は、印版台７の上面と面一になっており、これら印版２及び印版台７の上方には、スキージ６が配置されている。
【００２３】
スキージ６は、印版２及び印版台７の上面に対して傾けて配置された板状のブレードであり、このスキージ６の幅は、少なくとも印版２の幅よりも大きくなっている。このスキージ６の下端面は、スキージ６の表面に対して斜めに傾斜されており、印版台７の上面に摺接されている。また、スキージ６は、図示せぬスキージ移動手段によって印版２の上面に沿って傾斜側に往復動する。
【００２４】
ワーク台８は、ワークＸを支持する台座であり、印版台７の側方に配設されている。このワーク台８には、その上に載せられたワークＸを保持する図示せぬ保持手段が設けられている。
【００２５】
パッド移動手段９は、パッド３を水平方向に移動させる水平移動機構９０と、パッド３を鉛直方向に移動させる鉛直移動機構９１と、を備えている。水平移動機構９０は、印版２（印版台７）、ワークＸ（ワーク台８）及びパッドクリーニング装置４の上方に水平に配設されたガイドレール９２と、ガイドレール９２に走行可能に取り付けられたスライダー９３と、スライダー９３をガイドレール９２に沿って往復動させる図示せぬ駆動機構と、を備えている。鉛直移動機構９１は、スライダー９３に取り付けられていると共にパッド支持部材１０を鉛直方向に往復動させる駆動機構からなる。上記した水平移動機構９０及び鉛直移動機構９１の駆動機構としては、公知の駆動機構を用いることが可能であり、例えば、シリンダとピストンからなる駆動機構や、モータとボールネジからなる駆動機構、モータとラック‐ピニオンからなる駆動機構、モータとギアとベルトとからなる駆動機構などがある。
【００２６】
パッド支持部材１０は、鉛直移動機構９１の可動部９６に連結された支持軸１１と、支持軸１１の下端に設けられたベースプレート１２と、を備えている。支持軸１１は鉛直方向に延在する棒部材であり、支持軸１１の上端は鉛直移動機構９１の可動部９６に着脱可能に連結されている。ベースプレート１２は、支持軸１１の下端に垂直に接合された板材であり、パッド押し付け方向（鉛直方向）に直交する方向に延設されている。
【００２７】
パッド３は、転写面３０を印刷液が塗布された印版２に押し付けて当該転写面３０に印刷パターンを転写し、その転写面３０をワークXの被印刷面Ｙに押し付けて印刷パターンを被印刷面Ｙに転写するパッド印刷用の転写体であり、例えばブチルゴムやシリコーンゴム、ニトリルゴム等からなる弾性変形可能な弾性部材である。このパッド３は、パッド押し付け方向（鉛直方向）に直交する方向に延在された条材（棒状部材）であり、上記したベースプレート１２に接着されたかまぼこ形状のゴム体であって、ベースプレート１２の反対の下面が印刷パターンを一時的に保持する転写面３０となっている。
【００２８】
図２から図４に示すように、パッドクリーニング装置４は、クリーニングテープ１５にパッド３の転写面３０を押し付けることでその転写面３０に残留した印刷液をクリーニングテープ１５に転写させて転写面３０に残留した印刷液を除去する装置である。このパッドクリーニング装置４の概略構成としては、クリーニングテープ１５を繰り出す繰出部４０と、繰出部４０から繰り出されたクリーニングテープ１５を回収する回収部４１と、繰出部４０と回収部４１との間に張設されたクリーニングテープ１５の裏面に当接する裏当て部４２と、繰出部４０と回収部４１との間に架け渡されたクリーニングテープ１５を表面側から押さえる押さえ部材４３と、を備えている。
【００２９】
上記したクリーニングテープ１５は、表面に粘着面１６を有する粘着テープである。このクリーニングテープ１５は、円筒形状の芯材１８に巻き付けられており、これにより、ロール状のクリーニングテープロール１７が形成されている。
【００３０】
繰出部４０は、クリーニングテープロール１７を保持しつつ当該クリーニングテープロール１７を軸回転させてクリーニングテープ１５を順次繰り出す機構であり、その概略構成としては、クリーニングテープロール１７を軸支する回転軸４４と、その回転軸４４を繰り出し回転方向（クリーニングテープ１５を繰り出させる回転方向）の反対側に向けて付勢する図示せぬ付勢部材と、を備えている。この付勢部材により上記した回転軸４４が付勢されることで、繰出部４０と回収部４１との間に架設されるクリーニングテープ１５が引張される。
【００３１】
回収部４１は、繰出部４０から繰り出されたクリーニングテープ１５を巻き取る機構であり、その概略構成としては、クリーニングテープ１５が巻き付けられる芯材１９を軸支する回転軸４５と、その回転軸４５を間欠的に軸回転駆動させる図示せぬ駆動機構と、を備えている。この駆動機構によって上記した回転軸４５が軸回転することで芯材１９にクリーニングテープ１５が巻き付けられると共にクリーニングテープ１５が引っ張られて繰出部４０（クリーニングテープロール１７）からクリーニングテープ１５が引っ張り出される。
【００３２】
裏当て部４２は、裏面側（粘着面１６の裏側）からクリーニングテープ１５に当接する下敷き台であり、上記した繰出部４０と回収部４１との間に配設されている。この裏当て部４２の上面に、上記した繰出部４０と回収部４１との間で移送されるクリーニングテープ１５が摺動する。
【００３３】
押さえ部材４３は、繰出部４０と回収部４１との間に架設されたクリーニングテープ１５を粘着面１６側から押さえる丸棒状の部材であり、軸回転可能に設置されている。この押さえ部材４３は、パッド３が押し付けられる押付位置よりもクリーニングテープ１５の移送方向の上流側（図２における右側）に配設されている。また、裏当て部４２上のクリーニングテープ１５の粘着面１６に沿ってクリーニングテープ１５のテープ幅方向に延在する仮想線を基準線Ｌとして、押さえ部材４３は前記基準線Ｌに対して斜めに延設されている。前記した基準線Ｌは、裏当て部４２上のクリーニングテープ１５の粘着面１６に沿って延在されていると共にクリーニングテープ１５の長手方向に対して直交しており、押さえ部材４３は、平面視において前記基準線Ｌに対して傾斜されている。つまり、押さえ部材４３は、裏当て部４２の上面（クリーニングテープ１５の粘着面１６）に沿って延在されていると共に、平面視においてクリーニングテープ１５の長手方向に対して斜めに配置されている。
【００３４】
次に、上記したパッドクリーニング装置４を備えるパッド印刷装置１の使用方法について説明する。
【００３５】
まず、図１に示すように、印版台７の凹部７０内に印版２を嵌合させて印版２をセットする。また、ワーク台８の上にワークＸを載置して所定位置に配置させると共に図示せぬ保持手段によってワークＸを保持し、ワークＸを所定位置に固定する。
【００３６】
次に、図５に示すように、図示せぬ印刷液塗布手段によって印版２の上面に印刷液を塗布した後、図示せぬスキージ移動手段によってスキージ６を印版２の上面に沿って摺動させる。これにより、印版２の溝２０内に印刷液が隙間無く充填されると共に、印版２上の余剰な印刷液が掻き出される。
【００３７】
次に、図６に示すように、パッド移動手段９によってパッド３の転写面３０を印版２の上面に押し付ける。具体的に説明すると、パッド３を印版２の鉛直上方に配置させた状態で、鉛直移動機構９１によってパッド支持部１０を下降させ、パッド支持部１０に支持されたパッド３の転写面３０を印版２の上面に押し付ける。これにより、印版２の溝２０内の印刷液がパッド３の転写面３０に付着し、パッド３の転写面３０に印刷パターンが転写される。
【００３８】
次に、図７に示すように、パッド移動手段９によってパッド３をワークＸの位置まで移動させ、パッド３の転写面３０をワークＸの被印刷面Ｙに押し付ける。具体的に説明すると、まず、鉛直移動機構９１によってパッド支持部１０を上昇させ、パッド支持部１０に支持されたパッド３を引き上げる。続いて、水平移動機構９０の図示せぬ駆動機構を駆動させてスライダー９３をガイドレール９２に沿って走行させ、パッド３をワークＸの鉛直上方の位置まで移動させる。その後、鉛直移動機構９１によってパッド支持部１０を下降させ、パッド支持部１０に支持されたパッド３の転写面３０をワークＸの被印刷面Ｙに押し付ける。これにより、パッド３の転写面３０に保持された印刷液が被印刷面Ｙに付着し、被印刷面Ｙに印刷パターンが印写される。
【００３９】
次に、パッド移動手段９によってパッド３をパッドクリーニング装置４の位置まで移動させ、パッド３の転写面３０に残留した印刷液をパッドクリーニング装置４によって除去してパッド３の転写面３０をクリーニングする。
【００４０】
詳しく説明すると、まず、図８に示すように、クリーニングテープ１５のうちの裏当て部４２が当てられた部分の粘着面１６にパッド３の転写面３０を押し付ける（押付ステップ）。具体的には、鉛直移動機構９１によってパッド支持部１０を上昇させ、パッド支持部１０に支持されたパッド３を引き上げる。続いて、水平移動機構９０の図示せぬ駆動機構を駆動させてスライダー９３をガイドレール９２に沿って走行させ、パッド３をパッドクリーニング装置４の鉛直上方の位置まで移動させる。その後、鉛直移動機構９１によってパッド支持部１０を下降させ、パッド支持部１０に支持されたパッド３の転写面３０を、繰出部４０と回収部４１との間に架設されたクリーニングテープ１５のうちの裏当て部４２で下方から押圧された部分の粘着面１６に押し付ける。これにより、パッド３の転写面３０に残留した印刷液がクリーニングテープ１５の粘着面１６に転写され、パッド３の転写面３０から印刷液が除去される。
【００４１】
次に、図９に示すように、パッド３を裏当て部４２から離間する方向（上方）に移動させた後に当該パッド３を一時静止させ、パッド３に貼り付いたクリーニングテープ１５をパッド３から剥離させる（剥離ステップ）。具体的には、鉛直移動機構９１によってパッド支持部１０を小幅に上昇させ、パッド３を引き上げて一時静止させる。このとき、クリーニングテープ１５の粘着面１６がパッド３の転写面３０に貼着され、クリーニングテープ１５がパッド３と共に持ち上げられるが、パッド３が一時静止している間にクリーニングテープ１５がパッド３の転写面３０からゆっくりと静かに剥がされる。このとき、押さえ部材４３によってクリーニングテープ１５が粘着面１６側から押さえられているので、クリーニングテープ１５がパッド３の転写面３０から直ぐに剥がされる。したがって、パッド３を一時静止させる高さ位置が低く設定され、クリーニングテープ１５が引き上げられる量が小さく抑えられる。また、上記した押さえ部材４３が基準線Ｌに対して斜めに延設されているので、図１０に示すように、パッド３の転写面３０に貼り付いたクリーニングテープ１５が幅方向の片側から順次剥がされていく。また、上記した丸棒状の押さえ部材４３が軸回転可能に設けられているので、押さえ部材４３が粘着面１６から剥がれやすく、クリーニングテープ１５が押さえ部材４３に貼り付くことが防止される。さらに、上記した押さえ部材４３が、パッド３の押付位置よりもクリーニングテープ１５の移送方向の上流側に配設されているので、印刷液が付着していないクリーニングテープ１５を押さえ部材４３が押さえることになり、押さえ部材４３に印刷液が付着しない。
なお、パッド３を一時静止させる高さ位置は、パッド３の転写面３０に貼着したクリーニングテープ１５が徐々に剥がれていく程度の高さ位置であり、パッド３の転写面３０とクリーニングテープ１５の粘着面１６との接着力に応じて適宜設定される。
【００４２】
次に、図９に示すように、パッド３を印版２の鉛直上方の元の位置に戻す。具体的には、鉛直移動機構９１によってパッド支持部１０を上昇させ、パッド支持部１０に支持されたパッド３を一時静止位置から更に引き上げる。続いて、水平移動機構９０の図示せぬ駆動機構を駆動させてスライダー９３をガイドレール９２に沿って走行させ、パッド３を印版２の鉛直上方の位置まで移動させる。
【００４３】
また、クリーニングテープ１５を繰出部４０側から回収部４１側に向けて間欠的に移送させる。具体的に説明すると、回収部４１の図示せぬ駆動機構を駆動させ、回収部４１の回転軸４５を回転駆動させることで、クリーニングテープ１５を巻き取ると共に、繰出部４０のクリーニングテープロール１７を軸回転させながらクリーニングテープロール１７からクリーニングテープ１５を繰り出す。これにより、クリーニングテープ１５のうち、印刷液が付着した部分が回収部４１に回収され、新しい部分が裏当て部４２上に配置される。
以上により、ワークＸの被印刷面Ｙへの印刷が完了する。
【００４４】
上記したパッドクリーニング装置４及びパッド印刷装置１によれば、パッド３をクリーニングテープ１５の粘着面１６から引き剥がす際、クリーニングテープ１５が引き上げられる量が小さく抑えられるので、裏当て部４２に衝突するクリーニングテープ１５の勢いが抑えられて異音を抑制することができると共に、パッド３の転写面３０へのダメージを抑えてパッド３の長寿命化を図ることができる。
【００４５】
特に、上記したパッドクリーニング装置４及びパッド印刷装置１では、クリーニングテープ１５がその幅方向の片側からゆっくりと剥がされるので、クリーニングテープ１５がゆっくりと静かに裏当て部４２に接地する。このため、異音を非常に小さく抑えることができると共に、パッド３へのダメージが非常に小さくなり、パッド３の長寿命化を図ることができる。
【００４６】
また、上記したパッドクリーニング装置４によるパッド３のクリーニング方法によれば、パッド３を少しだけ引き上げた位置で一時静止させ、その後、パッド３を印版２の上方の位置まで移動させるので、クリーニングテープ１５の粘着面１６の粘着力が強力な場合であっても、クリーニングテープ１５がパッド３の転写面３０からゆっくりと静かに剥がされる。これにより、異音を確実に小さく抑えることができると共に、パッド３へのダメージが確実に小さくなり、パッド３を確実に長寿命化させることができる。
【００４７】
また、上記したパッドクリーニング装置４及びパッド印刷装置１によれば、押さえ部材４３に印刷液が付着しないので、例えば押さえ部材４３に付着した印刷液によってクリーニングテープ１５の移送が阻害されるなどの、押さえ部材４３に印刷液が付着することによる不具合を防止することができる。
【００４８】
また、上記したパッドクリーニング装置４及びパッド印刷装置１によれば、クリーニングテープ１５の粘着面１６を押さえる押さえ部材４３が粘着面１６から剥がれやすく、クリーニングテープ１５が押さえ部材４３に貼り付くことが防止されるので、クリーニングテープ１５を繰出部４０から回収部４１へスムーズに移送させることができる。
【００４９】
以上、本発明に係るパッドクリーニング装置、パッド印刷装置及びパッドクリーニング方法の実施の形態について説明したが、本発明は上記した実施の形態に限定されるものではなく、その趣旨を逸脱しない範囲で適宜変更可能である。
例えば、上記した実施の形態では、裏当て部４２の直上に押さえ部材４３が配設されているが、本発明は、平面視において裏当て部４２から離れた位置に押さえ部材４３が配設されていてもよい。
【００５０】
また、上記した実施の形態では、繰出部４０と回収部４１との間に架設されたクリーニングテープ１５に張力を付与するために繰出部４０の回転軸４４が図示せぬ付勢部材によって繰り出し回転方向の反対側に向けて付勢され、回収部４１の回転軸４５が図示せぬ駆動機構によって回転駆動する機構になっているが、本発明は、回収部４１の回転軸４５が図示せぬ付勢部材によって付勢され、繰出部４０の回転軸４４が図示せぬ駆動機構によって回転駆動する機構にすることも可能である。また、回転軸４４を付勢する付勢部材に換えてクリーニングテープ１５を引っ張るテンションローラを設けることも可能である。
【００５１】
また、上記した実施の形態では、ロール状のクリーニングテープロール１７からクリーニングテープ１５を繰り出す繰出部４０が備えられているが、本発明は、ロール状に巻かれていないクリーニングテープ１５を繰り出す繰出部であってもよい。
【００５２】
また、上記した実施の形態では、繰出部４０から繰り出されたクリーニングテープ１５を回収部４１で巻き取る機構になっているが、本発明は、クリーニングテープ１５を巻き取らずに回収する回収部であってもよい。例えば、繰出部４０から繰り出されたクリーニングテープ１５を駆動ローラとニップローラとで挟み込み、駆動ローラを回転駆動させることでクリーニングテープ１５を引き出しながら回収する機構であってもよい。
【００５３】
また、上記した実施の形態では、パッド３が昇降することでクリーニングテープ１５の粘着面１６にパッド３が押し付けられる構成になっているが、本発明は、クリーニングテープ１５を昇降させたりパッド３及びクリーニングテープ１５をそれぞれ昇降させたりすることでクリーニングテープ１５の粘着面１６にパッド３を押し付ける構成にすることも可能である。例えば、繰出部４０及び回収部４１を固定した状態で裏当て部４２を昇降させてクリーニングテープ１５の粘着面１６をパッド３に押し付ける構成にすることも可能である。
【００５４】
また、上記した実施の形態では、繰出部４０と回収部４１とが横方向に並設され、それらの間にクリーニングテープ１５が略水平方向に架設されており、パッド３がクリーニングテープ１５の粘着面１６に上方から押し付けられる構成になっているが、本発明は、パッドクリーニング装置４の設置向きは適宜変更可能である。例えば、繰出部４０と回収部４１とが縦方向に並設され、それらの間にクリーニングテープ１５が略鉛直方向に架設されており、パッド３がクリーニングテープ１５の粘着面１６に側方から押し付けられる構成にすることも可能である。
【００５５】
また、上記した実施の形態では、押さえ部材４３がクリーニングテープ１５の粘着面１６に沿って配設され、平面視において基準線Ｌに対して傾斜して配設されているが、本発明は、図１１に示すように、押さえ部材４３がクリーニングテープ１５の粘着面１６に対して斜めに配設されていてもよい。つまり、押さえ部材４３が縦断面視において基準線Ｌに対して傾斜していてもよい。この場合、平面視において基準線Ｌに対して傾斜していてもよく、或いは、押さえ部材４３は平面視において基準線Ｌに沿って延在していてもよい。さらに、本発明は、押さえ部材４３が基準線Ｌに対して傾斜していない構成にすることも可能である。
【００５６】
また、上記した実施の形態では、押さえ部材４３が、パッド３が押し付けられる押付位置よりもクリーニングテープ１５の移送方向上流側に配設されているが、本発明は、押付位置よりもクリーニングテープ１５の移送方向下流側に押さえ部材が配設されていてもよい。例えば、押付位置の上流側及び下流側にそれぞれ押さえ部材４３が配設され、クリーニングテープ１５のうちの２本の押さえ部材４３の間の部分にパッド３の転写面３０を押し付ける構成にすることも可能である。
【００５７】
また、上記した実施の形態では、軸回転可能な丸棒状の押さえ部材４３が備えられているが、本発明は、他の形状の押さえ部材を用いることも可能であり、押さえ部材が軸回転しないように固定されていてもよい。例えば、角棒状の押さえ部材であってもよく、平板状の押さえ部材であってもよい。また、押さえ部材４３は、裏当て部４２と一体に形成されていてもよい。
【００５８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５９】
１  パッド印刷装置
２  印版
３  パッド
４  パッドクリーニング装置
１５  クリーニングテープ
１６  粘着面
３０  転写面
４０  繰出部
４１  回収部
４２  裏当て部
４３  押さえ部材
Ｌ  基準線
Ｘ  ワーク（被印刷物）
Ｙ  被印刷面
【図１】
0005454898.tif 000002
【図２】
0005454898.tif 000003
【図３】
0005454898.tif 000004
【図４】
0005454898.tif 000005
【図５】
0005454898.tif 000006
【図６】
0005454898.tif 000007
【図７】
0005454898.tif 000008
【図８】
0005454898.tif 000009
【図９】
0005454898.tif 000010
【図１０】
0005454898.tif 000011
【図１１】
0005454898.tif 000012